(57)【要約】【課題】低コストで簡素な構成により、安定したシート送り性能を実現すること。【解決手段】揺動スライダクランク機構６は、送出ローラー５１に対しシートの送出方向の上流側に設けられた第１ジョイント部６１と前記送出ローラー５１の回転に応じて旋回する第２ジョイント部６２と前記第１ジョイント部６１および前記第２ジョイント部６２の間においてピックアップローラー５２を回転可能に支持する軸受部６３３を有するリンク部材６３とを有し、前記送出ローラー５１の回転運動を前記第１ジョイント部６１を中心とする前記リンク部材６３の上下方向の揺動運動へ変換する。ジョイント案内機構７は、前記第１ジョイント部６１を上下方向に移動可能に案内するとともに下方へ向けて弾性付勢する。前記ピックアップローラー５２は、前記リンク部材６３の揺動に応じて下降するときに前記シートを送り出す。【選択図】図２
2020172386.tif 000002
【特許請求の範囲】
【請求項１】
複数のシートが載置されるシート載置部から最上位のシートを送り出すシート送出装置であって、
モーターにより回転駆動される送出ローラーと、
前記送出ローラーに対して弾性付勢された捌き部材と、
前記送出ローラーに対し前記シートの送出方向の上流側に設けられ、前記送出ローラーの回転に連動して回転するピックアップローラーと、
前記送出ローラーに対し前記送出方向の上流側に設けられた第１ジョイント部と前記送出ローラーの回転に応じて旋回する第２ジョイント部と前記第１ジョイント部および前記第２ジョイント部を連結するとともに前記第１ジョイント部および前記第２ジョイント部の間において前記ピックアップローラーを回転可能に支持する軸受部を有するリンク部材とを有し、前記送出ローラーの回転運動を前記第１ジョイント部を中心とする前記リンク部材の上下方向の揺動運動へ変換する揺動スライダクランク機構と、
前記第１ジョイント部を上下方向に移動可能に案内するとともに下方へ向けて弾性付勢するジョイント案内機構と、を備え、
前記ピックアップローラーは、前記リンク部材の揺動に応じて下降するときに前記シートに接触することにより前記シートを前記送出ローラーへ向けて送り出し、
前記送出ローラーは、前記送出ローラーに到達した前記シートを前記捌き部材との間に挟みつつさらに後段へ送り出す、シート送出装置。
【請求項２】
前記モーターの一方向の回転力を前記送出ローラーへ伝達し、他方向の回転力を遮断するワンウェイクラッチをさらに備える、請求項１に記載のシート送出装置。
【請求項３】
請求項１または請求項２に記載のシート送出装置と、
前記シート送出装置により前記シート載置部から送り出されるシートに画像を形成するプリント部と、を備える画像形成装置。
【発明の詳細な説明】
【技術分野】
【０００１】
本発明は、シート載置部上からシートを送り出すシート送出装置およびそれを備える画像形成装置に関する。
【背景技術】
【０００２】
画像形成装置は、シート載置部上からシートを送り出すシート送出装置を備える。一般に、前記シート送出装置は、回転駆動される送出ローラーと、前記送出ローラーに連動して回転するピックアップローラーと、前記ピックアップローラーを下方へ弾性付勢するバネと、前記ピックアップローラーを上下方向に変位させる変位機構と、前記シート裁置部を持ち上げるリフトアップ機構とを備える（例えば、特許文献１参照）。
【０００３】
前記リフトアップ機構は、前記シート裁置部を持ち上げることにより、前記シート裁置部上の複数のシートのうち最も上の対象シートを予め定められた高さに保持する。前記変位機構は、前記ピックアップローラーの支持部を上下に変位させるカム機構および前記支持部を下方へ弾性付勢するバネなどを含む。
【０００４】
前記ピックアップローラーは、回転しつつ前記対象シートに接触することにより、前記対象シートを前記送出ローラーへ向けて送り出す。前記送出ローラーは、前記送出ローラーに到達した前記対象シートを、前記送出ローラーに弾性付勢された捌き部材との間に挟みつつさらに後段へ送り出す。
【先行技術文献】
【特許文献】
【０００５】
【特許文献１】特開２００６−０７６６９３号公報
【発明の概要】
【発明が解決しようとする課題】
【０００６】
ところで、例えば低価格帯の画像形成装置などにおいては、簡素な機構で実現可能な前記シート送出装置が望まれる。例えば、前記リフトアップ機構が省略されれば、前記シート送出装置を簡素化できる点において好ましい。
【０００７】
一方、前記シート裁置部上のシートの枚数が変化しても、前記ピックアップローラーが安定的な圧力でシートに当接することが好ましい。例えば、回動可能なアーム部材が前記ピックアップローラーを支持し、モーターが、トルクリミッターを介して前記アーム部材へ回転力を付与すれば、前記ピックアップローラーが安定的な圧力でシートに当接し、シート送り性能が安定する。
【０００８】
しかしながら、前記シート送出装置のコスト低減の観点から、前記トルクリミッターが前記ピックアップローラーの駆動に用いられることは好ましくない。
【０００９】
本発明の目的は、低コストで簡素な構成により、安定したシート送り性能を実現するシート送出装置およびそれを備える画像形成装置を提供することにある。
【課題を解決するための手段】
【００１０】
本発明の一の局面に係るシート送出装置は、複数のシートが載置されるシート載置部から上最上位のシートを送り出す装置である。前記シート送出装置は、送出ローラーと、捌き部材と、ピックアップローラーと、揺動スライダクランク機構と、ジョイント案内機構と、を備える。前記送出ローラーは、モーターにより回転駆動される。前記捌き部材は、前記送出ローラーに対して弾性付勢されている。前記ピックアップローラーは、前記送出ローラーに対し前記シートの送出方向の上流側に設けられ、前記送出ローラーの回転に連動して回転する。前記揺動スライダクランク機構は、前記送出ローラーに対し前記送出方向の上流側に設けられた第１ジョイント部と前記送出ローラーの回転に応じて旋回する第２ジョイント部と前記第１ジョイント部および前記第２ジョイント部を連結するとともに前記第１ジョイント部および前記第２ジョイント部の間において前記ピックアップローラーを回転可能に支持する軸受部を有するリンク部材とを有し、前記送出ローラーの回転運動を前記第１ジョイント部を中心とする前記リンク部材の上下方向の揺動運動へ変換する。前記ジョイント案内機構は、前記第１ジョイント部を上下方向に移動可能に案内するとともに下方へ向けて弾性付勢する。前記ピックアップローラーは、前記リンク部材の揺動に応じて下降するときに前記対象シートに接触することにより前記対象シートを前記送出ローラーへ向けて送り出す。前記送出ローラーは、前記送出ローラーに到達した前記対象シートを前記捌き部材との間に挟みつつさらに後段へ送り出す。
【００１１】
本発明の他の局面に係る画像形成装置は、前記シート送出装置と、前記シート送出装置により前記シート載置部から送り出されるシートに画像を形成するプリント部と、を備える。
【発明の効果】
【００１２】
本発明によれば、低コストで簡素な構成により、安定したシート送り性能を実現するシート送出装置およびそれを備える画像形成装置を提供することが可能になる。
【図面の簡単な説明】
【００１３】
【図１】図１は、実施形態に係る画像形成装置の構成図である。
【図２】図２は、実施形態に係る画像形成装置が備えるシート供給措置の構成図である。
【図３】図３は、実施形態に係る画像形成装置における退避状態のシート供給措置の図である。
【図４】図４は、実施形態に係る画像形成装置におけるシートの載置枚数が多い場合の動作状態のシート供給措置の図である。
【発明を実施するための形態】
【００１４】
以下、図面を参照しながら、本発明の実施形態について説明する。なお、以下の実施形態は、本発明を具体化した一例であって、本発明の技術的範囲を限定するものではない。
【００１５】
［画像形成装置１０の構成］
実施形態に係る画像形成装置１０は、第１シートトレイ２１ａ、第２シートトレイ２１ｂ、シート搬送装置３およびプリント部４を備える。シート搬送装置３およびプリント部４は、筐体である本体部１００に収容されている。
【００１６】
第１シートトレイ２１ａおよび第２シートトレイ２１ｂは、プリント部４へ送出されるシート９が載置される部分である。
【００１７】
第１シートトレイ２１ａは、本体部１００に対して引き出し可能に装着されたシートカセット２内に設けられている。
【００１８】
第２シートトレイ２１ｂは、いわゆる手差しトレイである。第２シートトレイ２１ｂは、本体部１００にその側面に沿って収納される収納位置と、本体部１００から外側へ張り出した使用位置との間で変位可能に支持されている。
【００１９】
シート搬送装置３は、第１シート送出装置３１、第２シート送出装置３２および複数組の搬送ローラー対３３を備える。
【００２０】
第１シート送出装置３１は、複数のシート９が載置される第１シートトレイ２１ａから最も上の１枚を本体部１００内の搬送路３００へ送り出す。第２シート送出装置３２は、複数のシートが載置される第２シートトレイ２１ｂから最も上の１枚を送り出す。なお、第１シートトレイ２１ａおよび第２シートトレイ２１ｂ各々は、シート裁置部の一例である。
【００２１】
以下の説明において、第１シートトレイ２１ａまたは第２シートトレイ２１ｂにおいて最も上に載置されたシート９のことを対象シート９ａと称する。また、第１シート送出装置３１に対する第１シートトレイ２１ａおよび第２シート送出装置３２に対する第２シートトレイ２１ｂのことを、シート裁置部２１と称する。
【００２２】
図２に示されるように、第１シート送出装置３１および第２シート送出装置３２の各々は、送出ローラー５１、ピックアップローラー５２、捌き部材５５および第１バネ５６を備える。
【００２３】
送出ローラー５１は、モーターＭ１によって回転駆動される。ピックアップローラー５２は、送出ローラー５１に連動して回転する。図２において、モーターＭ１の回転力を送出ローラー５１へ伝達するギヤ機構５７が簡略に示されている。
【００２４】
具体的には、第１シート送出装置３１および第２シート送出装置３２の各々は、それぞれ送出ローラー５１の両側に設けられた一対のローラーリンク部材５３および一対の無端ベルト５４をさらに備える。一対のローラーリンク部材５３の一方の端部は、送出ローラー５１の回転軸５１０の両端部によって搖動可能に支持されている。一対のローラーリンク部材５３の他方の端部は、それぞれピックアップローラー５２の回転軸５２０の両端部を回転可能に支持する。
【００２５】
送出ローラー５１の回転軸５１０およびピックアップローラー５２の回転軸５２０は、平行に配置されており、同じ方向へ回転する。
【００２６】
送出ローラー５１の回転軸５１０は、本体部１００のフレームによって一定の位置で回転可能に支持されている。そのため、ローラーリンク部材５３は、送出ローラー５１の回転軸５１０を中心に上下方向に揺動可能であり、ピックアップローラー５２は、ローラーリンク部材５３の揺動に応じて上下方向に変位可能である。ギヤ機構５７は、モーターＭ１の回転力を送出ローラー５１の回転軸５１０の一方の端部に伝達する。
【００２７】
無端ベルト５４は、送出ローラー５１の回転軸５１０とピックアップローラー５２の回転軸５２０とに架け渡されている。この無端ベルト５４が、送出ローラー５１の回転力をピックアップローラー５２へ伝達する。
【００２８】
ピックアップローラー５２を上下方向へ移動させる機構については後述する。なお、送出ローラー５１の回転力が、無端ベルト５４の代わりにギヤ機構によってピックアップローラー５２へ伝達されることも考えられる。
【００２９】
捌き部材５５は、送出ローラー５１に対して近接および離隔可能に支持されている。第１バネ５６は、捌き部材５５を送出ローラー５１に対して弾性付勢する。
【００３０】
ピックアップローラー５２は、回転しつつ下降するときに対象シート９ａに接触することにより対象シート９ａを送出ローラー５１へ向けて送り出する。送出ローラー５１は、ピックアップローラー５２による送り出しにより送出ローラー５１に到達した対象シート９ａを、捌き部材５５との間に挟みつつさらに後段へ送り出す。
【００３１】
送出ローラー５１の後段には、搬送ローラー対３３が配置されており、搬送ローラー対３３が、送出ローラー５１からシート９の搬送を引き継ぐ。
【００３２】
第１シート送出装置３１および第２シート送出装置３２は、モーターＭ１の回転力を送出ローラー５１へ伝達するワンウェイクラッチ５８をさらに備える。従って、搬送ローラー対３３が送出ローラー５１からシート９の搬送を引き継いでいるときに、送出ローラー５１の方が搬送ローラー対３３よりもシート９の搬送速度が遅い場合、または、モーターＭ１が停止した場合に、送出ローラー５１は、搬送ローラー対３３に対して従動回転する。
【００３３】
複数組の搬送ローラー対３３は、第１シート送出装置３１または第２シート送出装置３２によって送り出されたシート９を搬送路３００に沿って搬送し、さらに搬送路３００から排紙トレイ１０１へ排出する。
【００３４】
プリント部４は、第１シート送出装置３１または第２シート送出装置３２によって第１シートトレイ２１または第２シートトレイ２２から送り出された後に搬送路３００に沿って搬送されるシート９に画像を形成する。図１に示される例では、プリント部４は、電子写真方式でシート９に画像を形成する。
【００３５】
従って、プリント部４は、光走査ユニット４０、感光体４１、帯電装置４２、現像装置４３、転写装置４５、クリーニング装置４６および定着装置４７などを備える。
【００３６】
ドラム状の感光体４１が回転し、帯電装置４２が感光体４１の表面を帯電させる。光走査ユニット４０が、帯電した感光体４１の表面にビーム光を走査することにより、感光体４１の表面に静電潜像を書き込む。
【００３７】
帯電装置４２および光走査ユニット４０の作用により、プリント対象の画像データに基づく前記静電潜像が、感光体４１の表面に形成される。
【００３８】
現像装置４３は、前記静電潜像が形成された感光体４１にトナー９０を供給することにより、前記静電潜像をトナー像へ現像する。前記静電潜像が現像されることにより、感光体４１は、前記トナー像を担持して回転する。なお、感光体４１は像担持体の一例である。
【００３９】
転写装置４５は、搬送路３００に沿って搬送されるシート９に、感光体４１上の前記トナー像を転写する。定着装置４７は、シート９に転写された前記トナー像を加熱しつつ加圧する。これにより、前記トナー像がシート９に定着する。
【００４０】
なお、プリント部４が、例えばインクジェット方式など他の方式でシート９に画像を形成する装置であってもよい。
【００４１】
ところで、例えば低価格帯の画像形成装置などにおいては、簡素な機構で実現可能なシート送出装置が望まれる。例えば、第１シート送出装置３１および第２シート送出装置３２は、シート裁置部２１を持ち上げるリフトアップ機構を備えておらず、この点、第１シート送出装置３１および第２シート送出装置３２を簡素化できる点において好ましい。
【００４２】
一方、シート裁置部２１上のシート９の枚数が変化しても、ピックアップローラー５２が安定的な圧力で対象シート９ａに当接することが好ましい。例えば、回動可能なアーム部材がピックアップローラー５２を支持し、モーターＭ１が、トルクリミッターを介して前記アーム部材へ回転力を付与すれば、ピックアップローラー５２が安定的な圧力で対象シート９ａに当接し、シート送り性能が安定する。
【００４３】
しかしながら、第１シート送出装置３１および第２シート送出装置３２のコスト低減の観点から、前記トルクリミッターがピックアップローラー５２の駆動に用いられることは好ましくない。
【００４４】
図２に示されるように、第１シート送出装置３１および第２シート送出装置３２は、クランク機構６およびジョイント案内機構７をさらに備える。これにより、第１シート送出装置３１および第２シート送出装置３２は、簡素な構成により、ピックアップローラー５２を安定的な圧力で対象シート９ａに当接させることができる。
【００４５】
［クランク機構６］
クランク機構６は、揺動スライダクランク機構である。
【００４６】
クランク機構６は、フランジ部６０、第１ジョイント部６１、第２ジョイント部６２およびジョイントリンク部材６３を備える。ジョイントリンク部材６３は、前記揺動スライダクランク機構を構成するリンク部材の一例である。フランジ部６０は、送出ローラー５１と一体に構成されている。これにより、送出ローラー５１が回転するときに、フランジ部６０も回転する。
【００４７】
第１ジョイント部６１および第２ジョイント部６２は、それぞれ送出ローラー５１の回転軸５１０およびピックアップローラー５２の回転軸５２０と平行な軸部材である。
【００４８】
第２ジョイント部６２は、フランジ部６０から突出する状態で、フランジ部６０と一体に構成されている。従って、第２ジョイント部６２は、送出ローラー５１の回転に応じて、回転軸５１０を中心に旋回する。
【００４９】
ジョイントリンク部材６３は、第１ジョイント部６１および第２ジョイント部６２を連結する。ジョイントリンク部材６３は、第１ジョイント部６１と連結された第１連結部６３１と、第２ジョイント部６２と連結された第２連結部６３２とを有する。
【００５０】
第１連結部６３１および第２連結部６３２は、それぞれ第１ジョイント部６１および第２ジョイント部６２が回転可能な状態で、第１ジョイント部６１および第２ジョイント部６２と連結されている。
【００５１】
第２ジョイント部６２は、回転可能な状態で、かつ、第１ジョイント部６１および第２ジョイント部６２が対向する方向に沿ってスライド可能な状態で、第２連結部６３２と連結されている。図２〜４に示される例において、第２連結部６３２は、第２ジョイント部６２が挿入され、第２ジョイント部６２の移動を案内する長孔または溝である。
【００５２】
一方、第１ジョイント部６１は、回転可能な状態で第１連結部６３１と連結されている。第１ジョイント部６１は、第１連結部６３１に対してスライドしない。
【００５３】
図２に示される例において、第１連結部６３１は、円柱状の第１ジョイント部６１が貫通する円形の孔が形成された軸受部である。第２連結部６３２は、円柱状の第１ジョイント部６１が貫通する長孔である。この長孔は、第１ジョイント部６１および第２ジョイント部６２が対向する方向を長手方向とする孔である。
【００５４】
なお、図２〜４に示される例において、第２ジョイント部６２が、スライド可能な状態で第２連結部６３２と連結されている。しかしながら、第１ジョイント部６１が、スライド可能な状態で第１連結部６３１と連結されていてもよい。この場合、第２ジョイント部６２は、第２連結部６３２に対してスライドしない。
【００５５】
ジョイントリンク部材６３は、第１連結部６３１と第２連結部６３２との間の部分に軸受部６３３を有している。軸受部６３３は、第１ジョイント部６１および第２ジョイント部６２の間においてピックアップローラー５２を回転可能に支持する。
【００５６】
本実施形態において、ピックアップローラー５２の回転軸５２０が貫通する長孔である。この長孔は、第１ジョイント部６１および第２ジョイント部６２が対向する方向を長手方向とする孔である。
【００５７】
従って、軸受部６３３は、ピックアップローラー５２を回転可能に、かつ、第１ジョイント部６１および第２ジョイント部６２が対向する方向においてスライド可能に支持している。
【００５８】
ジョイントリンク部材６３は、第２ジョイント部６２の旋回に応じて、第１ジョイント部６１を中心にして上下方向に揺動する。即ち、クランク機構６は、送出ローラー５１の回転運動を、第１ジョイント部６１を中心とするジョイントリンク部材６３の上下方向の揺動運動へ変換する。
【００５９】
ジョイントリンク部材６３が上下方向に揺動すると、ジョイントリンク部材６３に支持されたピックアップローラー５２が上下方向に往復変位する。即ち、クランク機構６は、送出ローラー５１の回転に応じてピックアップローラー５２を上下方向に往復変位させる。送出ローラー５１が１回転するごとに、ジョイントリンク部材６３は上下に１往復する。
【００６０】
不図示の制御装置は、シート送出イベントが発生するごとに、送出ローラー５１を予め定められた回数ずつ回転させる。
【００６１】
例えば、第１シート送出装置３１および第２シート送出装置３２が、最も高い位置に到達した第２ジョイント部６２を検出するジョイントセンサーを備えることが考えられる。この場合、前記制御装置は、前記シート送出イベントが発生するごとにモーターＭ１を動作させ、その後、前記ジョイントセンサーが第２ジョイント部６２を検出したときに、モーターＭ１を停止させる。
【００６２】
上記の場合、送出ローラー５１は、前記シート送出イベントが発生するごとに１回転した後に停止する。
【００６３】
また、第１シート送出装置３１および第２シート送出装置３２が、欠歯ギヤを含むギヤ機構５７と、始動バネと、フラッパーソレノイドとを備えることが考えられる。この場合、前記欠歯ギヤは、第２ジョイント部６２が最も高い位置に到達したときに、ギヤ機構５７におけるモーターＭ１側の駆動ギヤと、送出ローラー５１側の前記欠歯ギヤとの噛み合いを解除する。
【００６４】
さらに、前記フラッパーソレノイドは、前記制御装置からの制御指令に従って、前記欠歯ギヤを前記駆動ギヤと噛み合わない状態で係止する状態と、その係止を解除する状態とに切り替わる。前記始動バネは、前記フラッパーソレノイドが前記欠歯ギヤを係止しないときに、前記欠歯ギヤを前記駆動ギヤと噛み合う状態まで回転させる。
【００６５】
そして、前記制御装置は、前記シート送出イベントが発生するごとに、前記フラッパーソレノイドに前記欠歯ギヤの係止を解除させ、続いて、前記フラッパーソレノイドを、前記欠歯ギヤが１回転したときに前記欠歯ギヤを係止する状態へ戻す。
【００６６】
上記の場合、送出ローラー５１は、前記シート送出イベントが発生するごとに、前記欠歯ギヤと前記欠歯ギヤから送出ローラー５１へ回転力を伝達するギヤとのギヤ比に応じた回数だけ回転した後に停止する。
【００６７】
また、本実施形態において、ピックアップローラー５２は、ローラーリンク部材５３によって送出ローラー５１の回転軸５１０との距離が一定に保持された状態で、上下方向に変位する。
【００６８】
従って、第１ジョイント部６１とピックアップローラー５２の回転軸５２０との距離が、ピックアップローラー５２の上下方向の変位に応じて変化する。そして、軸受部６３３は、ピックアップローラー５２の回転軸５２０のスライド移動を許容することにより、ピックアップローラー５２の上下方向の変位を妨げない。
【００６９】
前述したように、第１シート送出装置３１および第２シート送出装置３２は、モーターＭ１の回転力を送出ローラー５１へ伝達するワンウェイクラッチ５８を備える。これにより、送出ローラー５１は、モーターＭ１により駆動されるときと同じ回転方向の外力が加えられた場合、モーターＭ１が停止している場合でも回転する。
【００７０】
従って、モーターＭ１が停止している状態で、送出ローラー５１と捌き部材５５との間に挟まったシート９がシート送出方向へ引っ張られた場合に、送出ローラー５１は引き出されるシート９に従動して回転する。そのため、送出ローラー５１と捌き部材５５との間に挟まったシート９の除去が容易である。
【００７１】
［ジョイント案内機構７］
ジョイント案内機構７は、ジョイント案内部７１および第２バネ７２を有する。ジョイント案内部７１は、第１ジョイント部６１を上下方向に案内する。図２に示される例において、ジョイント案内部７１は、上下方向に沿って形成され、第１ジョイント部６１が貫通する長孔である。
【００７２】
第２バネ７２は、第１ジョイント部６１を下方へ向けて弾性付勢する。即ち、ジョイント案内機構７は、第１ジョイント部６１を上下方向に移動可能に案内するとともに下方へ向けて弾性付勢する。
【００７３】
図１，４に示されるように、ピックアップローラー５２は、ジョイントリンク部材６３の揺動に応じて下降するときに、対象シート９ａに接触することにより、シート裁置部２１から対象シート９ａを送出ローラー５１へ向けて送り出す。
【００７４】
図１は、シート裁置部２１上のシート９の積載枚数が少ない場合を示し、図４は、シート裁置部２１上のシート９の積載枚数が多い場合を示す。
【００７５】
送出ローラー５１は、送出ローラー５１に到達した対象シート９ａを捌き部材との間に挟みつつさらに後段へ送り出す。
【００７６】
また、シート裁置部２１上のシート９の積載枚数が予め定められた許容枚数以下であれば、ピックアップローラー５２は、ジョイントリンク部材６３の揺動に応じて最も高い位置へ上昇したときに、対象シート９ａから上方へ離隔する（図３参照）。
【００７７】
また、図１，４に示されるように、ジョイント案内機構７は、シート裁置部２１上のシート９の積載枚数に応じて第１ジョイント部６１を上下方向に変位させる。これにより、シート裁置部２１上のシート９の積載枚数に関わらず、第２ジョイント部６２が最も低い位置に到達するごとに、ピックアップローラー５２が、確実に対象シート９ａに当接する。
【００７８】
また、第２バネ７２は、第１ジョイント部６１を弾性付勢することにより、第２ジョイント部６２を支点とするテコの原理により、間接的にピックアップローラー５２を下方へ弾性付勢する。
【００７９】
従って、ジョイント案内機構７が採用される場合、ピックアップローラー５２の回転軸５２０またはローラーリンク部材５３がバネで下方へ付勢される場合に比べ、バネ定数の小さなバネを第２バネ７２として採用することができる。そのため、ピックアップローラー５２を安定した圧力で対象シート９ａに当接させることができる。
【００８０】
[応用例]
第１シート送出装置３１および第２シート送出装置３２において、無端ベルト５４が伸縮可能なゴムベルトであることが考えられる。この場合、ローラーリンク部材５３が省略され、軸受部６３３が、ピックアップローラー５２の回転軸５２０のスライド移動を許容しない軸受部であることが考えられる。
【符号の説明】
【００８１】
２      ：シートカセット
３      ：シート搬送装置
４      ：プリント部
６      ：クランク機構（揺動スライダクランク機構）
７      ：ジョイント案内機構
９      ：シート
９ａ    ：対象シート
１０    ：画像形成装置
２１    ：シート裁置部
２１ａ  ：第１シートトレイ
２１ｂ  ：第２シートトレイ
３１    ：第１シート送出装置
３２    ：第２シート送出装置
３３    ：搬送ローラー対
４０    ：光走査ユニット
４１    ：感光体
４２    ：帯電装置
４３    ：現像装置
４５    ：転写装置
４６    ：クリーニング装置
４７    ：定着装置
５０    ：フランジ部
５１    ：送出ローラー
５２    ：ピックアップローラー
５３    ：ローラーリンク部材
５４    ：無端ベルト
５５    ：捌き部材
５６    ：第１バネ
５７    ：ギヤ機構
５８    ：ワンウェイクラッチ
６１    ：第１ジョイント部
６２    ：第２ジョイント部
６３    ：ジョイントリンク部材
７１    ：ジョイント案内部
７２    ：第２バネ
９０    ：トナー
１００  ：本体部
１０１  ：排紙トレイ
３００  ：搬送路
５１０  ：送出ローラーの回転軸
５２０  ：ピックアップローラーの回転軸
６３１  ：第１連結部
６３２  ：第２連結部
６３３  ：軸受部
Ｍ１    ：モーター
【図１】
2020172386.tif 000003
【図２】
2020172386.tif 000004
【図３】
2020172386.tif 000005
【図４】
2020172386.tif 000006